(57)【要約】【課題】簡単な構成で、開口部から外れてしまうことを確実に防止し、かつ開口部に雨水が流入することを確実に防止できる養生蓋を提供する。【解決手段】止水養生蓋１は、蓋本体２０と、固定用台座３０と、を備えている。蓋本体２０は、床スリーブ３の開口を覆うことが可能に形成されている。当該蓋本体２０の下面には、取付面２の上面に接触するシール部２６と、下向きに突出して周面にオネジ部２４が形成された円柱部２３と、を備えている。固定用台座３０は、床スリーブ３に挿入される略筒状の筒部３１と、オネジ部２４が上方から螺入されるメネジ部３３と、を備える。そして、メネジ部３３に対してオネジ部２４を螺入することにより、筒部３１の一部が径方向外側に向けて拡がる。【選択図】図９
2015110861.tif 000002
【特許請求の範囲】
【請求項１】
取付面に形成された開口部を塞ぐための止水養生蓋であって、
蓋本体と、
固定用台座と、
を備え、
前記蓋本体は、前記開口部を覆うことが可能に形成され、
当該蓋本体の下面には、
取付面の上面に接触するシール部と、
下向きに突出し、その周面にオネジ部が形成された円柱部と、
を備え、
前記固定用台座は、
前記開口部に挿入される略筒状の筒部と、
前記オネジ部が上方から螺入されるメネジ部と、
を備え、
前記メネジ部に対して前記オネジ部を螺入することにより、前記筒部の少なくとも一部が外側に向けて拡がることを特徴とする止水養生蓋。
【請求項２】
請求項１に記載の止水養生蓋であって、
前記筒部は、その内径が前記円柱部の外径よりも小さい小径部を有し、
前記メネジ部に対して前記オネジ部を螺入することにより、前記円筒部の先端を前記小径部に進入させることが可能であることを特徴とする止水養生蓋。
【請求項３】
請求項２に記載の止水養生蓋であって、
前記筒部は、可撓性を有する素材からなり、
当該筒部には、当該筒部の軸方向と略平行に細長い切り込みが、複数形成されていることを特徴とする止水養生蓋。
【請求項４】
請求項１から３までの何れか一項に記載の止水養生蓋であって、
前記固定用台座は、
前記筒部の上側の縁部から径方向外側に向けて突出して鍔状に形成され、前記取付面の上面に接触する落下防止部を備えることを特徴とする止水養生蓋。
【請求項５】
請求項４に記載の止水養生蓋であって、
前記蓋本体の下面には、前記落下防止部の上面に接触可能な突起部が形成されていることを特徴とする止水養生蓋。
【請求項６】
請求項１から５までの何れか一項に記載の止水養生蓋であって、
前記蓋本体の上面は、
上方に向けて突出する補強リブを有することを特徴とする止水養生蓋。
【発明の詳細な説明】
【技術分野】
【０００１】
本発明は、建築現場において、コンクリートの床面に形成された開口部を覆い、かつ当該開口部に雨水が流入することを防止する止水養生蓋の構成に関する。
【背景技術】
【０００２】
ビルやマンションにおいて、空調や電気設備等の配管・配線のための開口部（スリーブ）が、コンクリートの床に形成される。ビルやマンションの建築現場において、このような開口部が床に露出したままの状態で作業を行うようでは、作業者の足場を不安定にするため危険である。また、当該開口部に、資材や工具などが落下してしまう可能性がある。そこで建築現場においては、床の開口部を覆うための養生蓋が従来から利用されてきた。このような従来の養生蓋は、例えば特許文献１に記載されている。
【０００３】
上記のような養生蓋は、作業中の作業者によって誤って蹴られたりすることがあるので、このような場合に開口部から簡単に外れないように工夫されていることが好ましい。この点、特許文献２には、孔（開口部）に挿入される筒を有したホールキャップ（養生蓋）が開示されている。特許文献２は、孔の内周面全体が筒と接するので、ホールキャップ（養生蓋）が孔から取れてしまうという不具合がない、としている。
【０００４】
また、ビルやマンションの建築の途中（上層階又は屋根が完成していない状態）で雨が降った場合、当該雨が床に直接降り注ぐことがある。このような場合に、当該床に形成されている開口部に雨水が流れ込んでしまうという問題がある。そこで、特許文献２から４は、養生蓋に止水性をもたせた構成を開示している。
【０００５】
特許文献２が開示するのは、開口部を覆う板の裏面に、防水用のシールを設けたホールキャップである。特許文献２は、これにより、孔（開口部）への雨水等の侵入が防止される、としている。
【０００６】
特許文献３が開示するのは、空気を注入することにより空気袋を膨らませ、開口部のスキマを塞ぐ養生蓋である。特許文献３は、これにより、養生蓋の周囲から水が侵入しても、空気袋でこれを遮断するために、下に水が漏れない、としている。
【０００７】
特許文献４が開示するのは、固定止水用ゴムを上下に圧縮することにより、当該固定止水用ゴムを左右に膨らませ、床スリーブを突っ張ることにより固定と止水を同時に行う養生蓋ユニットである。特許文献４は、これにより、確実な養生蓋の固定、及び確実な止水を実現したとしている。
【先行技術文献】
【特許文献】
【０００８】
【特許文献１】特開平９−２０３２１５号公報
【特許文献２】特開２００９−７９４６６号公報
【特許文献３】実開平２−１４３４５６号公報
【特許文献４】特許第３９７８４５９号公報
【発明の概要】
【発明が解決しようとする課題】
【０００９】
特許文献２のホールキャップでは、シール材がコンクリートの表面から浮いてしまう可能性がある。このため、特許文献２の構成では、十分な止水性能を発揮できない。
【００１０】
特許文献３の養生蓋においては、空気袋を膨らませるための空気ポンプ等が必要になるため、当該養生蓋の設置時の作業性が悪いという問題がある。また、特許文献３は、開口部（スリーブ孔）の中に配置した空気袋によって止水し、開口部に流入した雨水が下に落下することを防止するという技術思想であるため、開口部に雨水が流入すること自体は防止できない。このため、開口部に流入した雨水が、空気袋の上に溜まる場合がある。この場合、特許文献３の養生蓋を除去する際に、溜まっていた雨水が落下してしまう。
【００１１】
特許文献４の構成は、部品点数が多く複雑であるため、コストがかかるという問題がある。また、この特許文献４の養生蓋ユニットも、開口部（床スリーブ）の中に配置した固定止水用ゴムで止水するため、開口部に雨水が流入すること自体は防止できない。このため、開口部に流入した雨水が、固定止水用ゴムの上に溜まる場合がある。この場合、特許文献４の養生蓋ユニットを除去する際に、溜まっていた雨水が落下してしまう。
【００１２】
本発明は以上の事情に鑑みてされたものであり、その目的は、簡単な構成で、開口部から外れてしまうことを確実に防止し、かつ開口部に雨水が流入することを確実に防止できる養生蓋を提供することである。
【課題を解決するための手段及び効果】
【００１３】
本発明の解決しようとする課題は以上の如くであり、次にこの課題を解決するための手段とその効果を説明する。
【００１４】
本願発明の観点によれば、取付面に形成された開口部を塞ぐための止水養生蓋が、以下のとおり提供される。即ち、この止水養生蓋は、蓋本体と、固定用台座と、を備える。前記蓋本体は、前記開口部を覆うことが可能に形成される。当該蓋本体の下面には、取付面の上面に接触するシール部と、下向きに突出して周面にオネジ部が形成された円柱部と、を備える。前記固定用台座は、前記開口部に挿入される略筒状の筒部と、前記オネジ部が上方から螺入されるメネジ部と、を備える。そして、前記メネジ部に対して前記オネジ部を螺入することにより、前記筒部の少なくとも一部が外側に向けて拡がる。
【００１５】
メネジ部に対してオネジ部を上方から螺入することで、ネジ送りによって蓋本体が下方に向けて移動するので、当該蓋本体の下面に配置されているシール部が取付面に押し付けられる。これにより、シール部を取付面に確実に接触させることができるので、開口部に水が流れ込むことを確実に防止できる。また、筒部が径方向外側に拡がることにより、当該筒部の外周面が、開口部の内周壁面に接触する。これにより、固定用台座を、開口部に対して確実に固定できるので、止水養生蓋が開口部から外れてしまうことを防止できる。
【００１６】
上記の止水養生蓋は、以下のように構成されることが好ましい。即ち、前記筒部は、その内径が前記円柱部の外径よりも小さい小径部を有する。そして、前記メネジ部に対して前記オネジ部を螺入することにより、前記円筒部の先端を前記小径部に進入させることが可能である。
【００１７】
メネジ部に対してオネジ部を上方から螺入していくと、ネジ送りによって円柱部が下方に向けて移動するので、当該円柱部の先端が、小径部に進入していく。円柱部が小径部に進入していくと、当該小径部は、外向きに押し退けられる力を受けることになる。これにより、筒部は、外向きに拡がるように変形する。以上の構成によれば、筒部を外向きに拡げる仕組みを、簡単な構成で実現できる。
【００１８】
上記の止水養生蓋は、以下のように構成されることが好ましい。即ち、前記筒部は、可撓性を有する素材からなる。当該筒部には、当該筒部の軸方向と略平行な方向に細長い切り込みが、複数形成されている。
【００１９】
このように、筒部に切り込みを形成することで、当該筒部を径方向外側に向けて拡がるように変形させ易くなる。
【００２０】
上記の止水養生蓋において、前記固定用台座は、前記筒部の上側の縁部から径方向外側に向けて突出して鍔状に形成され、前記取付面の上面に接触する落下防止部を備えることが好ましい。
【００２１】
このように落下防止部を設けることで、固定用台座が開口部の中に落下することを防止できる。また、落下防止部は、取付面に接触することにより、固定用台座の連れ回りを防止する。
【００２２】
上記の止水養生蓋において、前記蓋本体の下面には、前記落下防止部の上面に接触可能な突起部が形成されていることが好ましい。
【００２３】
突起部が落下防止部に接触することで、突起部と落下防止部との間で止水することができる。また、突起部が落下防止部を取付面に対して押し付けるので、当該落下防止部と取付面との間でも止水することができる。このように、シール部に加えて、落下防止部においても止水することができるので、より確実に止水できる。
【００２４】
上記の止水養生蓋において、前記蓋本体の上面は、上方に向けて突出する補強リブを有することが好ましい。
【００２５】
補強リブを設けることで、蓋本体の強度を向上させることができる。また、蓋本体の上面に突出するように補強リブを設けることで、当該補強リブをツマミにして蓋本体を回転させることができる。これにより、メネジ部とオネジ部によるネジを締める又は弛める作業が容易になるので、止水養生蓋の設置又は除去の作業性を向上できる。
【図面の簡単な説明】
【００２６】
【図１】本発明の一実施形態に係る止水養生蓋を床スリーブに取り付けた様子を示す側面図。
【図２】止水養生蓋の分解側面図。
【図３】止水養生蓋の分解斜視図。
【図４】蓋本体の側面断面図。
【図５】蓋本体の下面側を主に示す斜視図。
【図６】固定用台座の側面断面図。
【図７】固定用台座の筒部が径方向外向きに変形する様子を説明する側面図。
【図８】オネジ部を途中まで螺入した様子を示す側面断面図。
【図９】止水養生蓋を床スリーブに取り付けた様子を示す側面断面図。
【図１０】変形例に係る固定用台座の側面断面図。
【発明を実施するための形態】
【００２７】
次に、図面を参照して本発明の実施の形態を説明する。図１に示すように、本実施形態の止水養生蓋１は、コンクリート製の床を上下に貫通して形成された床スリーブ（開口部）３の開口を覆うとともに、当該床スリーブ３に雨水等が流れ込むことを防ぐために止水するものである。以下の説明では、床の上面（床面）のことを、止水養生蓋１が取り付けられる面という意味で「取付面２」と称する。また、本明細書において、止水養生蓋１について「上」「下」と言った場合には、当該止水養生蓋１を取付面２に取り付けた状態（図１の状態）における上下を言うものとする。また、止水養生蓋１の説明において、「高い」「低い」という表現を使った場合には、当該止水養生蓋１を取付面２に取り付けた状態（図１の状態）における上下方向での高低を言うものとする。
【００２８】
なお、図３に示すように、本実施形態において、床スリーブ３の開口の形状は、円形であることを想定している（即ち、本実施形態が想定している床スリーブ３は、円形の孔である）。
【００２９】
図２及び図３に示すように、本実施形態の止水養生蓋１は、蓋本体２０と、固定用台座３０と、を備えている。
【００３０】
蓋本体２０は、床スリーブ３の径よりも大きい径を有する略円板状の部材として構成される。この蓋本体２０により、床スリーブ３の開口を覆うことができる。なお、蓋本体２０によって床スリーブ３の開口を覆った状態（図１の状態）では、当該蓋本体２０の下面が、取付面２と平行になるように配置される。蓋本体２０の素材は特に限定されないが、十分な剛性と耐水性を有し、かつ成形が容易な素材であることが好ましい。なお、本実施形態の蓋本体２０は、合成樹脂（例えばポリプロピレンやポリエチレンなど）製である。以下の説明では、略円板状の蓋本体２０の中心を通る上下方向の仮想線を、「蓋本体の軸線」と呼ぶ（図４に符号１８で示す）。
【００３１】
蓋本体２０は、取付面（床面）２の上に設置されるため、作業中の作業者によって踏まれてしまう可能性がある。このため、蓋本体２０には、作業者が踏んでも割れない程度の強度が要求される。そこで、蓋本体２０の上面には、補強リブ２１が一体的に形成されている。この補強リブ２１は、蓋本体２０の上面から上方に向けて突出するリブ状に形成されており、蓋本体２０を補強する機能を有する。なお、図３に示すように、本実施形態の補強リブ２１は、蓋本体２０を上方から見たときに、略十字形となるように形成されている。
【００３２】
図２に示すように、本実施形態の補強リブ２１の上面は、取付面２に対して平行ではなく、湾曲した形状となっている。より具体的には、補強リブ２１の上面は、蓋本体２０の中央部が最も高く、径方向外側に進むに従って徐々に低くなるようにアーチ状（逆Ｕ字状）の輪郭を有している。このように、補強リブ２１の上面を湾曲状としたので、仮に、蓋本体２０の上に脚立の脚などを置こうとしても、不安定であるため置くことができない。これにより、安全性を向上させることができる。というのも、本実施形態の止水養生蓋１は、建築作業中の安全及び止水のために床スリーブ３の開口を一時的に覆うことを目的としたものであり、本格的な足場として使われることは想定していない。そこで上記のように、あえて、蓋本体２０の上に脚立の脚などを置きにくくすることにより、安全性を高めているのである。また、補強リブ２１の上面が丸みを帯びた形状となっているので、作業者の足が引っ掛かり難くなり、躓きにくくなる効果も期待できる。
【００３３】
また上記のように、補強リブ２１の上面を、径方向外側ほど低くしたので、当該補強リブ２１の上面に雨水などが溜まることがない。更に、蓋本体２０の上面のうち、補強リブ２１が形成されていない部分（図３及び図４に符号２２で示す部分）も、蓋本体２０の中央部に近いほど高く、径方向外側にゆくほど低くなるように、斜めに形成している。このように、蓋本体２０の上面を斜めに形成することで、当該蓋本体２０の上面に雨水などが溜まることを防止できる。
【００３４】
図５に示すように、上記蓋本体２０の下面には、略円柱状の円柱部２３が設けられている。なお、円柱部２３は、中実であっても中空であっても良い。また、円柱部２３が中空の場合は、その先端が開放されていても良い（つまり、円柱部２３は、円筒状であっても良い）。円柱部２３は、その軸線を、蓋本体２０の軸線１８に一致させて配置されている。言い換えれば、円柱部２３は、蓋本体２０の下面の中央から下方に向けて突出するように配置されている。なお、本実施形態では、蓋本体２０と円柱部２３は一体形成されている。当該円柱部２３の周面には、ネジが形成されており、この部分はオネジ部２４となっている。また、円柱部２３の先端部には面取り部２５が形成されている。なお、本実施形態の面取り部２５は、下にゆくに従って細く（径が小さく）なるようにテーパ状となっている。
【００３５】
蓋本体２０の下面には、取付面２に接触可能なシール部２６が設けられている。図５に示すように、シール部２６は、蓋本体２０の外周縁の内側に沿って配置されたリング状の部材である。シール部２６の素材としては、耐水性及び弾性を有する素材が好ましい。本実施形態のシール部２６は合成ゴム製であるが、他にもシリコンゴムなど適宜の素材を利用できる。シール部２６は、蓋本体２０の下面に、両面テープ又は接着剤などの適宜の手段によって貼り付けられている。
【００３６】
また、図４に示すように、本実施形態のシール部２６の下面は、下向きに凸となるように湾曲状に形成されている。
【００３７】
図４に示すように、本実施形態の蓋本体２０の下面には、下向きに凸となる突起部２７が一体形成されている。なお、本実施形態の蓋本体２０は合成樹脂製であるから、これに一体形成された突起部２７も合成樹脂製である。従って、突起部２７は、シール部２６と比較して硬く、また弾性も有していない。図４に示すように、突起部２７は、周方向において、円柱部２３とシール部２６の間に位置している。図５に示すように、突起部は、蓋本体２０の軸線１８を中心とした円に沿って、全周にわたって（周方向で連続して）形成されている。また、図４に示すように、突起部２７の上下方向の長さＨ１（蓋本体２０の下面から突出している長さ）は、シール部２６の上下方向の長さＨ２よりも短くなっている。即ち、蓋本体２０の下面からの突起部２７の突出量は、シール部２６の突出量よりも少ない。
【００３８】
続いて、固定用台座３０について説明する。固定用台座３０は、筒部３１と、落下防止部３２と、メネジ部３３と、を有している。
【００３９】
図８に示すように、筒部３１は、床スリーブ３の内側に挿入可能な略筒状の構造となっている。なお、本実施形態においては床スリーブ３を円形の開口部としているので、当該床スリーブ３に挿入される筒部３１は略円筒形となっている。筒部３１は、弾性変形するので（詳しくは後述）、ある程度の可撓性を有する素材から構成されることが好ましい。なお、本実施形態の筒部３１は、合成ゴム製である。
【００４０】
筒部３１を床スリーブ３内に挿入可能とするため、当該筒部３１の外径Ｄ１は、床スリーブ３の径Ｄ２よりも若干小さく形成されている（図２参照）。なお、ここでいう「筒部３１の外径」とは、厳密にいえば、筒部３１の上側端部での径を言う。後で説明するように、筒部３１の下端部は変形し得るためである。なお、以下の説明では、筒部３１の中心軸線を、「筒部の軸線」と呼ぶ（図６に符号１９で示す）。
【００４１】
本実施形態の筒部３１の外周面には、ある程度の大きさの凹凸３４が形成されている。ここで「ある程度の大きさの凹凸」とは、例えば数ｍｍから数ｃｍのオーダーでの凹凸である。なお本実施形態では、図３及び図６等に示すように、筒部３１の外周の凹凸３４は、波状（コルゲート状）となっている。
【００４２】
図６に示すように、落下防止部３２は、筒部３１の上端の縁から、径方向外側に向けて突出するように鍔状に形成されている。また、図３に示すように、落下防止部３２は、筒部３１の軸線１９に軸線を一致させて配置されたリング板状の部位として形成されている。このリング状の落下防止部３２の外径Ｄ３は、床スリーブ３の径Ｄ２よりも大きく形成されている（図２参照）。また、落下防止部３２の上下方向の長さ（厚み）Ｈ６（図６参照）は、シール部２６の上下方向の長さＨ２（図４参照）よりも短く（薄く）形成されている。
【００４３】
本実施形態の落下防止部３２は、まわり止めの機能と止水の機能を兼ねているので（詳しくは後述）、ある程度の摩擦力を発揮でき、かつ耐水性を有する素材から構成されることが好ましい。なお、本実施形態の固定用台座３０において、落下防止部３２は、筒部３１と一体形成されている。従って、本実施形態の落下防止部３２は合成ゴム製である。
【００４４】
図６に示すように、筒部３１の内周側には、メネジ部３３が配置されている。なお、本実施形態の筒部３１は合成ゴム製であるため、必ずしもネジを形成するのに適した素材ではない。そこで本実施形態では、筒部３１とは別部材として、円筒状の内側スリーブ３５を用意し、当該内側スリーブ３５の内周面に、メネジ部３３を形成している。そして、当該内側スリーブ３５を、その軸線を筒部３１の軸線１９に一致させつつ、筒部３１の内側に配置している（図６）。内側スリーブ３５の素材は特に限定されないが、筒部３１の素材（合成ゴム）よりは硬くて成形が容易な素材であることが好ましい。なお、本実施形態の内側スリーブ３５は、合成樹脂（ポリプロピレンやポリエチレンなど）製である。
【００４５】
前記メネジ部３３は、蓋本体２０のオネジ部２４を螺入させることができるように構成されている。メネジ部３３にオネジ部２４を螺入することで、蓋本体２０の軸線１８と、固定用台座３０の軸線１９と、を一致させた状態で、当該蓋本体２０及び固定用台座３０を連結することができる。
【００４６】
図６に示すように、内側スリーブ３５の上下方向の長さ（メネジ部３３が形成されている領域の長さ）Ｈ４は、筒部３１の上下方向の長さ（軸方向の長さ）Ｈ５よりも短い。なお、本実施形態では、内側スリーブ３５の上下方向の長さＨ４は、筒部３１の上下方向の長さＨ５の約１／３としている（図６参照）。また、内側スリーブ３５は、筒部３１の上下方向で、上方に寄った位置に配置されている。言い換えれば、本実施形態の筒部３１において、下側の約２／３の範囲には、メネジ部３３が形成されていない。このように、メネジ部３３は、筒部３１の上下方向の全域に形成されている必要はなく、当該筒部３１の上下方向の一部にのみ形成されていれば良い。
【００４７】
図２、図３、図６等に示すように、筒部３１には、切り込み３８が形成されている。この切り込み３８の部分において、筒部３１は、周方向で不連続になっている。切り込み３８は、筒部３１の軸線１９と平行に細長く形成され、かつ筒部３１の周方向に複数、等間隔で形成されている。なお、本実施形態では、切り込み３８は、数ミリ程度の幅を有するスリットとして形成されている。切り込み３８は、筒部３１の下端から開始している。なお、切り込み３８は、筒部３１の上端までには至っていない。というのも、仮に、切り込み３８が筒部３１の上端まで至っていると、当該筒部３１が周方向で完全に切り離されてしまうためである。言い換えれば、本実施形態の筒部３１は、完全には切り離されておらず、その上端部において繋っている。
【００４８】
以上のように、筒部３１に切り込み３８が形成されているので、当該筒部３１の下端部を、図７に示すように径方向外側に向けて拡げるように弾性変形させることが可能である。
【００４９】
なお、本願発明の効果には直接関係ないが、念のために述べておくと、筒部３１の下端部は、径方向の内側に向けて縮径させるように弾性変形させることも可能である（図示は省略）。これは、本実施形態では、筒部３１の切り込み３８を、数ミリ程度の幅を有するスリットとしているので、当該スリットの幅の分だけ、筒部３１を周方向に縮めることができるためである。
【００５０】
ところで前述のように、本実施形態の筒部３１の内側には、上端から約１／３の範囲に、合成樹脂製の内側スリーブ３５が配置されているので、この部分では筒部３１を弾性変形させにくい。そこで本実施形態の筒部３１では、弾性変形させ易い部分、即ち、内側スリーブ３５よりも下の部分（筒部３１の下端から約２／３の範囲）にのみ、切り込み３８を形成している。
【００５１】
図６に示すように、筒部３１において、内側スリーブ３５の下方（メネジ部３３よりも下）には、筒部３１の内径が、内側スリーブ３５の内径よりも小さくなっている部分が設けられている。この部分を、小径部３６と称する。この小径部３６における筒部３１の内径Ｄ４（図６参照）は、前記円柱部２３の外径Ｄ５（図４参照）よりも小さくなっている。また、図６に示すように、筒部３１の内周面において、内側スリーブ３５の下端と、小径部３６の上端と、の間の部分には、テーパ部３７が形成されている。このテーパ部３７は、下にゆくに従って筒部３１の内径が徐々に小さくなっていき、小径部３６の上端に接続するように形成されている。
【００５２】
また、内側スリーブ３５の上下方向の長さ（メネジ部３３が形成されている領域の長さ）Ｈ４（図６参照）は、円柱部２３の軸方向（上下方向）の長さＨ３（図４参照）よりも短く形成されている。従って、メネジ部３３に対してオネジ部２４を螺入していくと、円柱部２３の先端が、内側スリーブ３５の下端からはみ出すことになる（図８の状態）。
【００５３】
この状態から更にオネジ部２４を螺入していくと、円柱部２３の先端は、前記小径部３６に進入していく。なお、本実施形態の円柱部２３の先端には面取り部２５が、小径部３６の上側にはテーパ部３７が、それぞれ形成されているので、円柱部２３の先端が小径部３６に対してスムーズに進入できるようになっている。また、小径部３６に進入した円柱部２３がスムーズに進むことができるようにするため、当該小径部３６の内周面は平滑（凹凸が無い形状）となっている。
【００５４】
そして前述のように、小径部３６の内径Ｄ４は、円柱部２３の外径Ｄ５よりも小さくなっているので、小径部３６に円柱部２３が進入していくと、当該小径部３６は、径方向外向きに押し退けられる力を受ける。これにより、図９に示すように、筒部３１の下端部が、径方向外側に向けて拡がるように弾性変形する。
【００５５】
以上のように、本実施形態の止水養生蓋１では、メネジ部３３に対してオネジ部２４を螺入することにより、筒部３１を、半径方向外側に向けて拡がるように弾性変形させることができるように構成されている。そして、上記のようにして筒部３１が半径方向外側に拡がったときに、当該筒部３１の外周面の少なくとも一部が、床スリーブ３の内壁面に接触できるように構成されている（図９の状態）。
【００５６】
続いて、本実施形態の止水養生蓋１の使用方法について説明する。
【００５７】
作業者は、まず、床スリーブ３の開口の径に合ったサイズの蓋本体２０及び固定用台座３０を用意する。
【００５８】
続いて、作業者は、固定用台座３０の筒部３１を、床スリーブ３に挿入する。このとき、落下防止部３２の下面が、取付面２に接触するので、固定用台座３０が床スリーブ３の中に落下することを防止できる。
【００５９】
続いて、作業者は、上記固定用台座３０のメネジ部３３に対して、上方から、蓋本体２０のオネジ部２４を螺入させる。より具体的には、固定用台座３０の筒部３１の軸線１９に対して、蓋本体２０の軸線１８を一致させて配置し、メネジ部３３に対してオネジ部２４を上方から挿入した状態で、蓋本体２０を、その軸線１８まわりで、ネジを締める方向に回転させる。なお、本実施形態の蓋本体２０の上面には、十字型の補強リブ２１が形成されているので、作業者は、当該補強リブ２１を指でつまんで蓋本体２０を回転させることができる。
【００６０】
固定用台座３０の落下防止部３２は、取付面に接触しているので、当該落下防止部３２と取付面２との間には摩擦抵抗が生じる。この摩擦抵抗により、蓋本体２０を回転させたときに、固定用台座３０が連れ回りすることを防止できる。このように、落下防止部３２は、連れ回り防止手段としての機能を有している。従って、作業者が蓋本体２０を回転させることにより、オネジ部２４をメネジ部３３に対して螺入させ、ネジを締めていくことができる。
【００６１】
そして、蓋本体２０を回転させてネジを締めていくことにより、止水養生蓋１が床スリーブ３に固定されるとともに、シール部２６が取付面２に接触して防水（水密）状態となる（詳しくは後述）。このように、本実施形態の止水養生蓋１は、蓋本体２０を回転させるという簡単な作業で、床スリーブ３に固定できるとともに、当該床スリーブ３に雨水が流れ込まないように止水できる。従って、止水養生蓋１の取り付けの際に工具等を使う必要がないので、当該止水養生蓋１の取り付けの作業を容易に行うことができる。
【００６２】
止水養生蓋１を床スリーブ３から取り外す際には、蓋本体２０を、ネジを弛める方向に回転させれば良い。これにより、止水養生蓋１を床スリーブ３から取り外すことができる。このように、止水養生蓋１を取り外す際にも、工具等は不要である。なお、床スリーブ３から取り外した止水養生蓋１は、再利用することが可能である。
【００６３】
続いて、本実施形態の止水養生蓋１が床スリーブ３に固定される様子について詳しく説明する。
【００６４】
図８に、オネジ部２４を途中まで螺入した様子を示す。この状態から、作業者が、ネジを締める方向に蓋本体２０を回転させていくと、円柱部２３の先端が筒部３１の小径部３６に進入する。これにより、小径部３６が外向きに押し拡げられる力を受ける結果、筒部３１の下端部が、径方向外側に向けて拡がるように変形する。これにより、筒部３１の外周面が、床スリーブ３の内周壁面に対して押し当てられる（図９）。
【００６５】
以上により、筒部３１が、床スリーブ３に対して周方向で突っ張った状態となるので、固定用台座３０が床スリーブ３に対して固定される。これにより、止水養生蓋１が床スリーブ３から外れることを防止できる。また、固定用台座３０が床スリーブ３に対して固定されるので、当該固定用台座３０が連れ回りしにくくなる。従って、蓋本体２０を更に強くネジ込むことができる。
【００６６】
また、本実施形態では、筒部３１の外周面に凹凸３４を形成しているので、筒部３１の外周面が床スリーブ３の内周壁面に押し当てられたときに、前記凹凸３４が径方向で潰れるように弾性変形できる。このように、凹凸３４が径方向で潰れるように弾性変形する余地があるので、床スリーブ３の径方向の寸法公差を吸収することが可能である。これにより、筒部３１の外周面を、床スリーブ３に対して確実に押し当てることができるので、固定用台座３０を床スリーブ３に対して確実に固定できる。
【００６７】
なお、本実施形態において、筒部３１にはスリット状の切り込み３８が形成されているので、当該筒部３１は、床スリーブ３に流入した雨水が下に落下することを防止する防水（水密）状態を実現することはできない。即ち、本実施形態の筒部３１は、止水の機能は有していない。本実施形態の筒部３１は、もっぱら止水養生蓋１を床スリーブ３に対して固定するためのものである。
【００６８】
続いて、本実施形態の止水養生蓋１によって、床スリーブ３内に雨水が流れ込まないように止水する様子について詳しく説明する。
【００６９】
図８に、オネジ部２４を途中まで螺入した様子を示す。この状態から、作業者が、ネジを締める方向に蓋本体２０を回転させていくと、オネジ部２４とメネジ部３３によるネジ送りの効果によって、蓋本体２０が下方に移動していく。従って、蓋本体２０をある程度回転させていくと、当該蓋本体２０の下面に配置されているシール部２６が、取付面２に接触する。なお、図８に示すように、シール部２６は、径方向において、落下防止部３２の外周縁部よりも外側に配置されている。従って、シール部２６は、落下防止部３２には接触せずに、取付面２に対して直接的に接触できる。また前述のように、シール部２６はリング状に形成されているので、当該シール部２６は、全周にわたって取付面２に接触できる。
【００７０】
そして、蓋本体２０を、ネジを締める方向に更に回転させることにより、ネジ送りの効果によって蓋本体２０がシール部２６を下向きに押すので、当該シール部２６が取付面２に対して押し付けられる（図９の状態）。これにより、当該シール部２６を、取付面２に対して確実に接触させることができ、シール部２６が取付面２から浮いてしまうことを防止できる。これにより、シール部２６と取付面２が接触して防水（水密）状態となるので、床スリーブ３の内部に水が流れ込むことを防止する止水効果を発揮できる。
【００７１】
特に、本実施形態のシール部２６は、弾性を有する素材であり、かつ、下向きに凸となる形状であるため、当該シール部２６は、取付面２に押し付けられることにより、潰れるように変形して取付面２に密着する（図９）。これにより、シール部２６による止水の効果を、より好適に発揮することができる。
【００７２】
ところで、建築現場においては、取付面２は必ずしも清浄な状態であるとは限らず、ゴミや汚れ、コンクリートかす等が存在し得るので、シール部２６と取付面２の間に隙間が生じる可能性も皆無ではない。このため、シール部２６だけでは十分な止水性能を得ることができないことも有り得る。そこで本実施形態の止水養生蓋１は、前記シール部２６の内側にもう一箇所、止水する箇所を設けて、二重に止水する構成としている。
【００７３】
具体的には以下のとおりである。即ち、前述のように、本実施形態の蓋本体２０の下面には、突起部２７が形成されている。図８に示すように、突起部２７の先端は、落下防止部３２の上面に対面するように配置されている。従って、突起部２７の先端は、落下防止部３２の上面に接触可能である。また前述のように、突起部２７は、蓋本体２０の軸線１８を中心とした円に沿って、全周にわたって形成されている。従って、突起部２７を、全周にわたって落下防止部３２の上面に接触させることができる。この状態から更に蓋本体２０を回転させれば、突起部２７の先端が、落下防止部３２の上面に押し付けられる（図９の状態）。
【００７４】
本実施形態の落下防止部３２は合成ゴム製であるから、弾性を有している。このため、突起部２７の先端が落下防止部３２の上面に押し付けられると、当該落下防止部３２が弾性変形することにより、当該落下防止部３２の上面に突起部２７の先端がメリ込んだ状態となる（図９の状態）。これにより、突起部２７の先端と、落下防止部３２の上面と、が密着するので、この部分が防水（水密）状態となる。また、この状態では、突起部２７の先端が落下防止部３２を下向きに押さえているので、当該落下防止部３２の下面が取付面２に押し付けられていることになる。これにより、落下防止部３２の下面と、取付面２と、の接触部分が防水（水密状態）となる。以上のように、本実施形態の構成によれば、落下防止部３２の部分においても、床スリーブ３の内部に水が流れ込むことを防止する止水効果を発揮できる。
【００７５】
このように、本実施形態の止水養生蓋１は、取付面２の上において、２重に止水する構造である。これにより、床スリーブ３の内部に雨水が流れ込んでしまうことを、確実に防止できる。
【００７６】
以上で説明したように、本実施形態の止水養生蓋１は、蓋本体２０と、固定用台座３０と、を備えている。蓋本体２０は、床スリーブ３の開口を覆うことが可能に形成されている。当該蓋本体２０の下面には、取付面２の上面に接触するシール部２６と、下向きに突出して周面にオネジ部２４が形成された円柱部２３と、を備えている。固定用台座３０は、床スリーブ３に挿入される略筒状の筒部３１と、オネジ部２４が上方から螺入されるメネジ部３３と、を備える。そして、メネジ部３３に対してオネジ部２４を螺入することにより、筒部３１の一部が径方向外側に向けて拡がる。
【００７７】
このように、メネジ部３３に対してオネジ部２４を上方から螺入することで、ネジ送りによって蓋本体２０が下方に向けて移動するので、当該蓋本体２０の下面に配置されているシール部２６が取付面２に押し付けられる。これにより、シール部２６を取付面２に確実に接触させることができるので、床スリーブ３に水が流れ込むことを確実に防止できる。また、筒部３１が径方向外側に拡がることにより、当該筒部３１の外周面が、床スリーブ３の内周壁面に接触する。これにより、固定用台座３０を、床スリーブ３に対して確実に固定できるので、止水養生蓋１が床スリーブ３から外れてしまうことを防止できる。
【００７８】
また、以上で説明したように、本実施形態の止水養生蓋１において、筒部３１は、その内径が円柱部２３の外径よりも小さい小径部３６を有している。そして、メネジ部３３に対してオネジ部２４を螺入することにより、円筒部２３の先端を小径部３６に進入させることが可能である。このように円柱部２３が小径部３６に進入していくと、当該小径部３６は、外向きに押し退けられる力を受けることになる。これにより、筒部３１は、外向きに拡がるように変形する。以上の構成によれば、筒部３１を外向きに拡げる仕組みを、簡単な構成で実現できる。
【００７９】
また、以上で説明したように、本実施形態の止水養生蓋１において、筒部３１は、可撓性を有する素材（合成ゴム）からなる。そして、筒部３１には、当該筒部３１の軸線１９と略平行な方向に細長い切り込み３８が、複数形成されている。このように、筒部３１に切り込み３８を形成することで、当該筒部３１を径方向外側に向けて拡がるように変形させ易くなる。
【００８０】
また、以上で説明したように、本実施形態の止水養生蓋１において、固定用台座３０は、筒部３１の上側の縁部から径方向外側に向けて突出して鍔状に形成され、取付面２の上面に接触する落下防止部３２を備えている。このように落下防止部３２を設けることで、固定用台座３０が床スリーブ３の中に落下することを防止できる。また、落下防止部３２は、取付面２に接触することにより、固定用台座３０の連れ回りを防止する。
【００８１】
また、以上で説明したように、本実施形態の止水養生蓋１において、蓋本体２０の下面には、落下防止部３２の上面に接触可能な突起部２７が形成されている。突起部２７が落下防止部３２に接触することで、突起部２７と落下防止部３２との間で止水することができる。また、突起部２７が落下防止部３２を取付面２に対して押し付けるので、当該落下防止部３２と取付面２との間でも止水することができる。このように、シール部２６に加えて、落下防止部３２においても止水することができるので、より確実に止水できる。
【００８２】
また、以上で説明したように、本実施形態の止水養生蓋１において、蓋本体２０の上面は、上方に向けて突出する補強リブ２１を有している。補強リブ２１を設けることで、蓋本体２０の強度を向上させることができる。また、蓋本体２０の上面に突出するように補強リブ２１を設けることで、当該補強リブ２１をツマミにして蓋本体２０を回転させることができる。
【００８３】
以上に本発明の好適な実施の形態を説明したが、上記の構成は例えば以下のように変更することができる。
【００８４】
上記説明においては、「上」「下」等の表現を用いたが、これはあくまで止水養生蓋１の構成をわかり易く説明するための便宜上のものであり、止水養生蓋１の使用時の配置姿勢を限定する意図はない（即ち、止水養生蓋１は、必ずしも厳密に上下方向に沿って配置される必要はない）。例えば、本実施形態の止水養生蓋１は、斜めの床面に形成された床スリーブを覆うためにも利用できる。
【００８５】
止水養生蓋１の各部の形状、寸法等は、適宜変更できる。
【００８６】
一例として、固定用台座の変形例を図１０に示す。図１０に示す変形例の固定用台座１３０は、下にゆくほど筒部３１の外径が大きくなるように、当該筒部３１の外周面に勾配αを設けたものである。即ち、この変形例では、下にゆくほど、筒部３１の肉厚が厚くなっている。この構成によれば、筒部３１の下の部分ほど、床スリーブ３の内周壁面に対して強く押し付けられることになる。従って、蓋本体２０を回転させればさせるほど（ネジを締め付ければ締め付けるほど）、床スリーブ３に対する固定力が増す構成である。これにより、止水養生蓋１が床スリーブ３から抜けてしまうことをより確実に防止できる。
【００８７】
なお、図１０の構成において、筒部３１の下端部の外径Ｄ６（図１０参照）は、床スリーブ３の径Ｄ２（図２参照）よりも若干大きくすることができる。というのも、前述のように、切り込み３８がスリット状に形成されていれば、筒部３１の下端部を、径方向内側に向けて縮径させるように弾性変形させることが可能である。従って、仮に、筒部３１の下端部の外径Ｄ６が、床スリーブ３の径Ｄ２より多少大きかったとしても、筒部３１を縮径させるように変形させることで、当該筒部３１を床スリーブ３に挿入することができる。
【００８８】
図１０の変形例においては、筒部３１の外周面に勾配を設けているが、これに代え、あるいはこれに加えて、筒部３１の内周面（より具体的には、小径部３６の内周面）に傾斜を設けても良い。
【００８９】
内側スリーブ３５を省略し、筒部３１の内周にメネジ部３３を直接形成しても良い。この場合、筒部３１は、メネジ部３３の部分においても変形できる。そこでこの場合は、オネジ部２４又はメネジ部３３をテーパネジとしても良い。これによれば、オネジ部２４をメネジ部２４にネジ込むに従って、筒部３１のメネジ部２４の部分を外向きに拡げるように変形させることができる。
【００９０】
また、筒部３１の外周の凹凸３４は、波状（コルゲート状）に限らず、他の形状の凹凸とすることができる。もっとも、筒部３１の外周の凹凸３４は省略しても良い。
【００９１】
上記実施形態において、切り込み３８は、数ｍｍ程度の幅を有するスリットとしたが、これに限らず、幅を有さない単なる切り込みであっても良い。もっとも、切り込み３８は必須の構成ではない。筒部３１が十分な柔軟性を有していれば、切り込み３８が無くても、当該筒部３１を径方向外向きに変形させることが可能である。
【００９２】
上記実施形態のシール部２６は、その下面が下に向けて凸となる形状であるが、これに限らず、シール部２６の下面は取付面２と平行であっても良い。
【００９３】
シール部２６のみで十分な止水性能を実現できるのであれば、突起部２７は省略することもできる。
【００９４】
上記の説明では、まず固定用台座３０を床スリーブ３に配置し、その後に蓋本体２０を取り付けているが、止水養生蓋１を取り付ける作業の手順は必ずしもこれに限らない。例えば、メネジ部３３に対してオネジ部２４を途中まで螺入することにより、蓋本体２０と固定用台座３０を連結したあとで、筒部３１を床スリーブ３に挿入してもよい。
【００９５】
上記実施形態では、床スリーブ３の開口の形状を円形として説明したが、本願発明の止水養生蓋１は、円形以外の床スリーブ３の養生にも応用できる。例えば、床スリーブの開口形状が四角形の場合は、筒部３１を四角筒状とすることで、上記実施形態と同様の効果が得られる。
【００９６】
もっとも、筒部３１は床スリーブ３の開口形状に合わせた形状でなくてはならない、という訳でもない。例えば、床スリーブの開口形状が四角形の場合であっても、上記実施形態と同様に円筒状の筒部３１を用いることが可能である。この場合であっても、円筒状の筒部３１が径方向外向きに拡がることにより、当該筒部３１の外周面が、四角形状の床スリーブ３の内周壁面に接触できるので、固定用台座を床スリーブ３に対して固定できる。
【符号の説明】
【００９７】
１  止水養生蓋
２  取付面
３  床スリーブ（開口部）
２０  蓋本体
２１  補強リブ
２４  オネジ部
２６  シール部
２７  突起部
３０  固定用台座
３１  筒部
３２  落下防止部
３３  メネジ部
３８  切り込み
【図１】
2015110861.tif 000003
【図２】
2015110861.tif 000004
【図３】
2015110861.tif 000005
【図４】
2015110861.tif 000006
【図５】
2015110861.tif 000007
【図６】
2015110861.tif 000008
【図７】
2015110861.tif 000009
【図８】
2015110861.tif 000010
【図９】
2015110861.tif 000011
【図１０】
2015110861.tif 000012